(57)【要約】      （修正有）【課題】過熱水蒸気を空間内に安定して供給できるサウナ装置を提供する。【解決手段】水蒸気生成装置１０４から供給された水蒸気を加熱して過熱水蒸気を生成する第１の水蒸気加熱装置１０８と、前記水蒸気を加熱して、サウナ空間２００における放熱量と同等の熱量を有する過熱水蒸気を生成する第２の水蒸気加熱装置１１０と、前記水蒸気を前記第１及び前記第２の水蒸気加熱装置１０８、１１０の少なくともいずれかに供給するように切替え可能な切替弁１０６と、前記サウナ空間２００の温度を検知する空間温度検知部１２４と、運転開始時には前記第１及び前記第２の水蒸気加熱装置１０８、１１０に前記水蒸気を供給するように前記切替弁１０６を制御し、前記空間温度検知部１２４の測定温度が設定温度に達すると前記第２の水蒸気加熱装置１１０にのみ前記水蒸気を供給するように前記切替弁１０６を制御する制御部１１２とを備えた。【選択図】図１
2010035708.tif 000002
【特許請求の範囲】
【請求項１】
過熱水蒸気をサウナ空間に供給するサウナ装置であって、
水蒸気を生成する水蒸気生成装置と、
前記水蒸気生成装置から供給された前記水蒸気を加熱して前記過熱水蒸気を生成する第１の水蒸気加熱装置と、
前記水蒸気生成装置から供給された前記水蒸気を加熱して、前記サウナ空間における放熱量と同等の熱量を有する前記過熱水蒸気を生成する第２の水蒸気加熱装置と、
前記水蒸気生成装置から供給された前記水蒸気を前記第１及び前記第２の水蒸気加熱装置の少なくともいずれかに供給するように切り替え可能な切替弁と、
前記サウナ空間の温度を検知する空間温度検知部と、
運転開始時には前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、
を備えたことを特徴とするサウナ装置。
【請求項２】
過熱水蒸気をサウナ空間に供給するサウナ装置であって、
水蒸気を生成する水蒸気生成装置と、
前記水蒸気生成装置から供給された前記水蒸気を加熱して、前記サウナ空間における放熱量よりも大きい熱量を有する前記過熱水蒸気を生成する第１の水蒸気加熱装置と、
前記水蒸気生成装置から供給された前記水蒸気を加熱して、前記サウナ空間における放熱量と同等の熱量を有する前記過熱水蒸気を生成する第２の水蒸気加熱装置と、
前記水蒸気生成装置から供給された前記水蒸気を前記第１及び前記第２の水蒸気加熱装置の少なくともいずれかに供給するように切り替え可能な切替弁と、
前記サウナ空間の温度を検知する空間温度検知部と、
運転開始時には前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、
を備えたことを特徴とするサウナ装置。
【請求項３】
過熱水蒸気をサウナ空間に供給するサウナ装置であって、
水蒸気を生成する水蒸気生成装置と、
前記水蒸気生成装置から供給された前記水蒸気を加熱して前記過熱水蒸気を生成する第１の水蒸気加熱装置と、
前記水蒸気生成装置から供給された前記水蒸気を加熱して、前記サウナ空間における放熱量と同等の熱量を有する前記過熱水蒸気を生成する第２の水蒸気加熱装置と、
前記水蒸気生成装置から供給された前記水蒸気を前記第１及び前記第２の水蒸気加熱装置の少なくともいずれかに供給するように切り替え可能な切替弁と、
前記サウナ空間の温度を検知する空間温度検知部と、
前記空間温度検知部の測定温度が設定温度に達しないときは前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、
を備えたことを特徴とするサウナ装置。
【請求項４】
過熱水蒸気をサウナ空間に供給するサウナ装置であって、
水蒸気を生成する水蒸気生成装置と、
前記水蒸気生成装置から供給された前記水蒸気を加熱して、前記サウナ空間における放熱量よりも大きい熱量を有する前記過熱水蒸気を生成する第１の水蒸気加熱装置と、
前記水蒸気生成装置から供給された前記水蒸気を加熱して、前記サウナ空間における放熱量と同等の熱量を有する前記過熱水蒸気を生成する第２の水蒸気加熱装置と、
前記水蒸気生成装置から供給された前記水蒸気を前記第１及び前記第２の水蒸気加熱装置の少なくともいずれかに供給するように切り替え可能な切替弁と、
前記サウナ空間の温度を検知する空間温度検知部と、
前記空間温度検知部の測定温度が設定温度に達しないときは前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、
を備えたことを特徴とするサウナ装置。
【発明の詳細な説明】
【技術分野】
【０００１】
本発明の態様は、一般的に、サウナ装置に関し、具体的には水蒸気を加熱した過熱水蒸気を空間内に供給するサウナ装置に関する。
【背景技術】
【０００２】
一般的に、身体を芯まで効率よく温めて発汗を促進したり、血行を促進し、身体に良好に作用するサウナ装置がある。サウナ装置には、例えば、遠赤外線を利用した「ドライサウナ」などと呼ばれるサウナ装置や、約１００℃程度の飽和水蒸気を用いた「スチームサウナ」などと呼ばれるサウナ装置がある。
【０００３】
しかしながら、いわゆる「ドライサウナ」では、空間内（サウナ室内）の室温が例えば約１００℃程度と高いため、身体に負担がかかるという問題がある。また、吸い込んだ空気によって胸がむせたり、呼吸が苦しく感じる場合もある。
【０００４】
一方、いわゆる「スチームサウナ」では、約１００℃程度の飽和水蒸気を用いており、その水蒸気の粒子が比較的大きいため、「ドライサウナ」と同様に、吸い込んだ水蒸気によって胸がむせたり、呼吸が苦しく感じる場合がある。そのため、身体に負担がかかるという問題がある。また、温度が低下した水蒸気によってサウナ室内が白濁し、そのサウナ室内の視界が悪くなるという問題がある。
【０００５】
これに対して、１００℃より高温の過熱水蒸気を部屋内に供給する蒸し庫がある（特許文献１）。特許文献１（特開２００５−１４４１４４号公報）に記載された装置は、サウナとして用いることも可能であり、所定温度に維持（制御）した過熱水蒸気を室内に供給することで、その室内の周囲温度を例えば約４５℃程度に保つことができる。そして、室内に供給された過熱水蒸気の粒子は、極めて小さい状態となっている。そのため、身体にかかる負担は比較的小さい。また、過熱水蒸気は１００℃よりも高温であるため、供給する水蒸気量を少なくすることで室内の水分量が少なくなり、霧状になる水蒸気が少なく、白濁の無い見通しの良い視界を得ることができる。
【０００６】
ここで、サウナ装置を公衆用として使用する場合には、使用者がサウナ室に入室する前からサウナ装置の運転を開始しておく場合が多いが、家庭用として使用する場合には、使用者がサウナ室に入室する直前にサウナ装置の運転を開始する場合も多い。そのため、特許文献１（特開２００５−１４４１４４号公報）に記載された装置を家庭用として使用する場合、比較的早急に気浴（入浴）を開始するためには、運転開始時において過熱蒸気発生装置に供給する飽和蒸気（水蒸気）の流量を増加する必要がある。
【０００７】
しかしながら、家庭用のサウナ室（例えば浴室など）は空間が小さいため、室内の温度が設定温度に近づき安定してくると、過熱蒸気発生装置に供給する水蒸気の流量は減少し、その水蒸気の流れは不安定で不均一となるおそれがある。その結果として過熱蒸気発生装置が過加熱状態となるおそれがある。過熱蒸気発生装置が過加熱状態になると、その装置が空焚きを起こしたり、その装置の内部に「温度むら」を生ずるおそれがある。特許文献１（特開２００５−１４４１４４号公報）に記載された装置は、これらの点において改善の余地がある。
【特許文献１】特開２００５−１４４１４４号公報
【発明の開示】
【発明が解決しようとする課題】
【０００８】
本発明の態様は、かかる課題の認識に基づいてなされたものであり、過熱水蒸気を発生する装置が過加熱状態となるおそれを水蒸気量によらず抑制できる、あるいはその装置の空焚きやその装置の内部における温度むらを抑制できる、あるいはその装置を省エネルギー化、長寿命化できるサウナ装置を提供する。また、過熱水蒸気を空間内に安定して供給できるサウナ装置を提供する。
【課題を解決するための手段】
【０００９】
本発明の一態様によれば、過熱水蒸気をサウナ空間に供給するサウナ装置であって、水蒸気を生成する水蒸気生成装置と、前記水蒸気生成装置から供給された前記水蒸気を加熱して前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、運転開始時には前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、を備えたことを特徴とするサウナ装置が提供される。
【００１０】
また、本発明の他の一態様によれば、過熱水蒸気をサウナ空間に供給するサウナ装置であって、水蒸気を生成する水蒸気生成装置と、前記水蒸気生成装置から供給された前記水蒸気を加熱して、前記サウナ空間における放熱量よりも大きい熱量を有する前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、運転開始時には前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、を備えたことを特徴とするサウナ装置が提供される。
【００１１】
また、本発明の他の一態様によれば、過熱水蒸気をサウナ空間に供給するサウナ装置であって、水蒸気を生成する水蒸気生成装置と、前記水蒸気生成装置から供給された前記水蒸気を加熱して前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、前記空間温度検知部の測定温度が設定温度に達しないときは前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、を備えたことを特徴とするサウナ装置が提供される。
【００１２】
また、本発明の他の一態様によれば、過熱水蒸気をサウナ空間に供給するサウナ装置であって、水蒸気を生成する水蒸気生成装置と、前記水蒸気生成装置から供給された前記水蒸気を加熱して、前記サウナ空間における放熱量よりも大きい熱量を有する前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、前記空間温度検知部の測定温度が設定温度に達しないときは前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、を備えたことを特徴とするサウナ装置が提供される。
【発明の効果】
【００１３】
本発明の態様によれば、過熱水蒸気を発生する装置が過加熱状態となるおそれを水蒸気量によらず抑制できる、あるいはその装置の空焚きやその装置の内部における温度むらを抑制できる、あるいはその装置を省エネルギー化、長寿命化できるサウナ装置が提供される。また、過熱水蒸気を空間内に安定して供給できるサウナ装置が提供される。
【発明を実施するための最良の形態】
【００１４】
第１の発明は、過熱水蒸気をサウナ空間に供給するサウナ装置であって、水蒸気を生成する水蒸気生成装置と、前記水蒸気生成装置から供給された前記水蒸気を加熱して前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、運転開始時には前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、を備えたことを特徴とするサウナ装置である。
【００１５】
このサウナ装置によれば、サウナ装置の起動時には第１及び第２の水蒸気加熱装置の運転を開始するため、サウナ空間の温度を一気に上げることができる。そして、サウナ空間の温度が設定温度と同等の場合には、サウナ空間における放熱量と同等の熱量を有する過熱水蒸気を生成する第２の水蒸気加熱装置のみの運転を開始するため、第１および第２の水蒸気加熱装置が過加熱状態となるおそれを水蒸気量によらず抑制できる。あるいは、第１および第２の水蒸気加熱装置が空焚きを起こしたり、装置の内部において温度むらが生ずることを抑制できる。そのため、過熱水蒸気をサウナ空間に安定して供給することができる。また、余分な熱量を削減して省エネルギー化することができるため、サウナ装置を長寿命化することができる。
【００１６】
また、第２の発明は、過熱水蒸気をサウナ空間に供給するサウナ装置であって、水蒸気を生成する水蒸気生成装置と、前記水蒸気生成装置から供給された前記水蒸気を加熱して、前記サウナ空間における放熱量よりも大きい熱量を有する前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、運転開始時には前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、を備えたことを特徴とするサウナ装置である。
【００１７】
このサウナ装置によれば、サウナ装置の起動時には、サウナ空間における放熱量よりも大きい熱量を有する過熱水蒸気を生成する第１の水蒸気加熱装置の運転を開始するため、サウナ空間の温度を一気に上げることができる。そして、サウナ空間の温度が設定温度と同等の場合には、サウナ空間における放熱量と同等の熱量を有する過熱水蒸気を生成する第２の水蒸気加熱装置の運転を開始するため、第１および第２の水蒸気加熱装置が過加熱状態となるおそれを水蒸気量によらず抑制できる。あるいは、第１および第２の水蒸気加熱装置が空焚きを起こしたり、装置の内部において温度むらが生ずることを抑制できる。そのため、過熱水蒸気をサウナ空間に安定して供給することができる。また、余分な熱量を削減して省エネルギー化することができるため、サウナ装置を長寿命化することができる。
【００１８】
また、第３の発明は、過熱水蒸気をサウナ空間に供給するサウナ装置であって、水蒸気を生成する水蒸気生成装置と、前記水蒸気生成装置から供給された前記水蒸気を加熱して前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、前記空間温度検知部の測定温度が設定温度に達しないときは前記第１及び前記第２の水蒸気加熱装置に前記水蒸気を供給するように前記切替弁を制御し、前記空間温度検知部の測定温度が設定温度に達すると前記第２の水蒸気加熱装置にのみ前記水蒸気を供給するように前記切替弁を制御する制御部と、を備えたことを特徴とするサウナ装置である。
【００１９】
このサウナ装置によれば、サウナ空間の温度が設定温度に達しないときは第１及び第２の水蒸気加熱装置の運転を開始するため、サウナ空間の温度を一気に上げることができる。そして、サウナ空間の温度が設定温度と同等の場合には、サウナ空間における放熱量と同等の熱量を有する過熱水蒸気を生成する第２の水蒸気加熱装置のみの運転を開始するため、第１および第２の水蒸気加熱装置が過加熱状態となるおそれを水蒸気量によらず抑制できる。あるいは、第１および第２の水蒸気加熱装置が空焚きを起こしたり、装置の内部において温度むらが生ずることを抑制できる。そのため、過熱水蒸気をサウナ空間に安定して供給することができる。また、余分な熱量を削減して省エネルギー化することができるため、サウナ装置を長寿命化することができる。
【００２０】
また、第４の発明は、過熱水蒸気をサウナ空間に供給するサウナ装置であって、水蒸気を生成する水蒸気生成装置と、前記水蒸気生成装置から供給された前記水蒸気を加熱して、前記サウナ空間における放熱量よりも大きい熱量を有する前記過熱水蒸気を生成する第１の水蒸気加熱装置と、前記水蒸気生成装置から供給された前記水蒸気を加熱して、前記サウナ空間における放熱量と同等の熱量を有する前記過熱水蒸気を生成する第２の水蒸気加熱装置と、前記水蒸気生成装置から供給された前記水蒸気を前記第１及び前記第２の水蒸気加熱装置の少なくともいずれかに供給するように切り替え可能な切替弁と、前記サウナ空間の温度を検知する空間温度検知部と、前記空間温度検知部の測定温度が設定温度に達しないときは前記第１の水蒸気加熱装置に前記水蒸気を供給するように前記切替弁を制御し、前記空間温度検知部の測定温度が設定温度に達すると前記第２の水蒸気加熱装置に前記水蒸気を供給するように前記切替弁を制御する制御部と、を備えたことを特徴とするサウナ装置である。
【００２１】
このサウナ装置によれば、サウナ空間の温度が設定温度に達しないときは、サウナ空間における放熱量よりも大きい熱量を有する過熱水蒸気を生成する第１の水蒸気加熱装置の運転を開始するため、サウナ空間の温度を一気に上げることができる。そして、サウナ空間の温度が設定温度と同等の場合には、サウナ空間における放熱量と同等の熱量を有する過熱水蒸気を生成する第２の水蒸気加熱装置の運転を開始するため、第１および第２の水蒸気加熱装置が過加熱状態となるおそれを水蒸気量によらず抑制できる。あるいは、第１および第２の水蒸気加熱装置が空焚きを起こしたり、装置の内部において温度むらが生ずることを抑制できる。そのため、過熱水蒸気をサウナ空間に安定して供給することができる。また、余分な熱量を削減して省エネルギー化することができるため、サウナ装置を長寿命化することができる。
【００２２】
以下、本発明の実施の形態について図面を参照しつつ説明する。なお、各図面中、同様の構成要素には同一の符号を付して詳細な説明は適宜省略する。  
図１は、本発明の実施の形態にかかるサウナ装置を例示する模式図である。  
図１に表したサウナ装置は、過熱水蒸気を生成する過熱水蒸気生成部１００と、使用者がサウナに入浴するサウナ空間２００と、過熱水蒸気生成部１００が生成した過熱水蒸気をサウナ空間２００に吹き出す吹出部３００と、を備えている。過熱水蒸気生成部１００と、サウナ空間２００と、は吹出部３００を介して連通されている。なお、本願明細書において「過熱水蒸気」とは、水蒸気を沸点（１００℃）以上に加熱した水蒸気をいうものとする。また、サウナ空間２００や吹出部３００は、必ずしもサウナ装置の一部として含めなくてもよい。
【００２３】
過熱水蒸気生成部１００は、給水源から供給された水を通水したり止水したりする給水弁１０２と、給水源から供給された水を水蒸気として生成する水蒸気生成装置１０４と、水蒸気生成装置１０４から供給された水蒸気を加熱して過熱水蒸気を生成する第１の水蒸気加熱装置１０８および第２の水蒸気加熱装置１１０と、水蒸気生成装置１０４から供給された水蒸気を第１および第２の水蒸気加熱装置１０８、１１０の少なくともいずれかに供給するように切り替える切替弁１０６と、を有している。
【００２４】
また、過熱水蒸気生成部１００は、第１および第２の水蒸気加熱装置１０８、１１０の少なくともいずれかからサウナ空間２００に供給される過熱水蒸気の温度を検知する水蒸気温度検知部１２２と、サウナ空間２００の温度を検知する空間温度検知部１２４と、水蒸気温度検知部１２２および空間温度検知部１２４の検知結果に基づいて給水弁１０２と、水蒸気生成装置１０４と、第１および第２の水蒸気加熱装置１０８、１１０と、切替弁１０６と、の動作を制御する制御部１１２と、をさらに有している。  
なお、給水弁１０２は、水蒸気生成装置１０４の内部に設けられた図示しない水分量検知部の検知結果によって開閉されてもよい。図示しない水分量検知部の検知結果に基づいて給水弁１０２を開閉することで、より確実に水蒸気生成装置１０４の内部の「空焚き」を防止できる。
【００２５】
図１に表したように、給水弁１０２と水蒸気生成装置１０４とは流路１３０ａを介して接続されており、水蒸気生成装置１０４と切替弁１０６とは流路１３０ｂを介して接続されており、切替弁１０６と第１の水蒸気加熱装置１０８とは流路１３０ｃを介して接続されており、切替弁１０６と第２の水蒸気加熱装置１１０とは流路１３０ｄを介して接続されており、第１および第２の水蒸気加熱装置１０８、１１０と吹出部３００とは流路１３０ｅを介して接続されている。そして、第１および第２の水蒸気加熱装置１０８、１１０は、流路１３０ｂ、１３０ｃ、１３０ｄおよび切替弁１０６を介して、水蒸気生成装置１０４に接続されている。また、水蒸気加熱装置１０８、１１０は並列になっている。
【００２６】
水蒸気生成装置１０４は、電気あるいは燃料などにより水を加熱蒸発させる装置である。水蒸気生成装置１０４で加熱され生成された水蒸気は、流路１３０ｂを通って第１および第２の水蒸気加熱装置１０８、１１０の少なくともいずれかに供給される。一方、第１および第２の水蒸気加熱装置１０８、１１０は、水蒸気生成装置１０４から供給された水蒸気を電磁誘導加熱などにより１００℃以上の過熱水蒸気にする装置である。ここで、第２の水蒸気加熱装置１１０は、サウナ空間２００における放熱量と略同等の熱量を有する過熱水蒸気を生成する。そして、水蒸気加熱装置１０８、１１０で加熱され生成された過熱水蒸気は、流路１３０ｅおよび吹出部３００を通ってサウナ空間２００に供給される。
【００２７】
また、水蒸気温度検知部１２２は、吹出部３００の内部に設けられている。そして、水蒸気温度検知部１２２の検知結果が例えば約４００℃程度になるように、制御部１１２は第１および第２の水蒸気加熱装置１０８、１１０の動作（出力）を制御する。一方、空間温度検知部１２４は、サウナ空間２００に設けられている。そして、空間温度検知部１２４の検知結果が例えば約４０℃程度になるように、制御部１１２は水蒸気生成装置１０４の動作（出力）を制御する。
【００２８】
ここで、制御部１１２は、水蒸気生成装置１０４が生成する水蒸気量を制御することによってサウナ空間２００の温度を制御できる。すなわち、制御部１１２は、サウナ空間２００の温度が設定温度（例えば約４０℃程度）よりも十分低い場合には、より多くの水蒸気量を生成するように水蒸気生成装置１０４の動作を制御でき、一方、サウナ空間２００の温度が設定温度に近づいた場合には、より少ない水蒸気量を生成するように水蒸気生成装置１０４の動作を制御できる。
【００２９】
サウナ空間２００は例えば浴室やシャワーブースなどであり、そのサウナ空間２００には浴槽２０２や水栓装置２０４などが適宜設けられている。そして、使用者は過熱水蒸気によって温められたサウナ空間２００に入室し、その過熱水蒸気に入浴（気浴）することにより、サウナ空間２００の温度（例えば約４０℃程度）よりも高い体感温度を得ることができる。これは、水蒸気生成装置１０４が生成する水蒸気量を制御して、すなわちサウナ空間２００に供給される過熱水蒸気量を制御して、設定温度に保たれたサウナ空間２００に使用者が入室すると、使用者の肌の表面全体に且つ均一に水蒸気が凝縮することにより、その凝縮熱が全身に作用するためである。
【００３０】
次に、過熱水蒸気生成部の動作の具体例について、図面を参照しつつ説明する。  
図２は、サウナ装置の運転開始時における過熱水蒸気生成部の動作の具体例を説明するための模式図である。  
サウナ装置の運転開始時には、サウナ空間２００の温度は設定温度（例えば約４０℃程度）よりも低い。そして、サウナ装置を家庭用として使用する場合には、使用者がサウナ室に入室する直前にサウナ装置の運転を開始する場合がある。そのため、使用者が比較的早急に入浴を開始するためには、サウナ装置はサウナ空間２００の温度を一気に上げる必要がある。サウナ空間２００に供給する過熱水蒸気の温度を一定にしつつ、サウナ空間２００の温度を一気に上げるためには、水蒸気生成装置１０４が生成する水蒸気量を増加して、サウナ空間２００に供給される過熱水蒸気量を増加する必要がある。供給する過熱水蒸気の温度を一定にすることで、サウナ空間２００内に供給される熱量と水分量の割合が常に一定になるため、サウナ空間２００内の水分量を小さな状態に保つことができ、霧状になる水蒸気が少なく、白濁の無い見通しの良い視界を得ることができる。
【００３１】
そこで、本具体例のサウナ装置の制御部１１２は、運転開始時には、水蒸気生成装置１０４で生成された水蒸気が、第１の水蒸気加熱装置１０８と、第２の水蒸気加熱装置１１０と、に供給されるように切替弁１０６を制御できる。第１の水蒸気加熱装置１０８と、第２の水蒸気加熱装置１１０と、に供給された水蒸気は、１００℃以上に加熱された過熱水蒸気となり、サウナ空間２００に供給される。
【００３２】
このように、運転開始時には、第１の水蒸気加熱装置１０８と、第２の水蒸気加熱装置１１０と、において過熱水蒸気が生成されるため、より多くの過熱水蒸気をサウナ空間２００に供給できる。その結果、本具体例のサウナ装置は、サウナ空間２００の温度を一気に上げることができる。なお、第１の水蒸気加熱装置１０８が生成する過熱水蒸気の熱量は、第２の水蒸気加熱装置１１０が生成する過熱水蒸気の熱量より大きくとも、あるいは小さくともいずれでもよいが、サウナ空間２００の温度を一気に上げることを考慮すると、第２の水蒸気加熱装置１１０が生成する過熱水蒸気の熱量より大きいことがより好ましい。
【００３３】
図３は、サウナ装置の運転開始時における過熱水蒸気生成部の動作の他の具体例を説明するための模式図である。  
図２に関して前述したように、サウナ空間２００に供給する過熱水蒸気の温度を一定にしつつ、サウナ装置の運転開始時にサウナ空間２００の温度を一気に上げるためには、水蒸気生成装置１０４が生成する水蒸気量を増加して、サウナ空間２００に供給される過熱水蒸気量を増加する必要がある。
【００３４】
そこで、本具体例のサウナ装置の制御部１１２は、運転開始時には、水蒸気生成装置１０４で生成された水蒸気が、第１の水蒸気加熱装置１０８のみに供給されるように切替弁１０６を制御できる。ここで、本具体例の第１の水蒸気加熱装置１０８は、第２の水蒸気加熱装置１１０が生成する過熱水蒸気の熱量よりも大きい熱量を有する過熱水蒸気を生成する。すなわち、本具体例の第１の水蒸気加熱装置１０８は、サウナ空間２００における放熱量よりも大きい熱量を有する過熱水蒸気を生成する。第１の水蒸気加熱装置１０８に供給された水蒸気は、１００℃以上に加熱された過熱水蒸気となり、サウナ空間２００に供給される。
【００３５】
このように、運転開始時には、第２の水蒸気加熱装置１１０が生成する過熱水蒸気の熱量よりも大きい熱量を有する過熱水蒸気を、第１の水蒸気加熱装置１０８が生成して供給するため、第２の水蒸気加熱装置１１０において過熱水蒸気が生成された場合よりも多くの過熱水蒸気をサウナ空間２００に供給できる。その結果、本具体例のサウナ装置は、サウナ空間２００の温度を一気に上げることができる。
【００３６】
なお、サウナ空間２００の温度を設定温度近傍にまで上昇させるために要する時間は、第１の水蒸気加熱装置１０８にて生成される過熱水蒸気の熱量により決定される。したがって、所望の時間に設定温度近傍にまでサウナ空間２００の温度を上昇させるためには、第１の水蒸気加熱装置１０８にて生成される過熱水蒸気の熱量を適宜設定すればよい。
【００３７】
図４は、サウナ空間の温度が設定温度になったときにおける過熱水蒸気生成部の動作の具体例を説明するための模式図である。  
サウナ空間２００の温度が設定温度になったとき、あるいは設定温度に近づいたときには、サウナ装置はサウナ空間２００の温度を設定温度に保つ必要がある。サウナ空間２００の温度を設定温度に保つためには、運転開始時に比べて、水蒸気生成装置１０４が生成する水蒸気量を減少して、サウナ空間２００に供給される過熱水蒸気量を減少する必要がある。より具体的には、サウナ空間２００における放熱量と同等の熱量をそのサウナ空間２００に供給する必要がある。
【００３８】
そこで、本具体例のサウナ装置の制御部１１２は、サウナ空間２００の温度が設定温度になったとき、あるいは設定温度に近づいたときには、水蒸気生成装置１０４で生成された水蒸気が、第２の水蒸気加熱装置１１０のみに供給されるように切替弁１０６を制御できる。ここで、第２の水蒸気加熱装置１１０は、前述したように、サウナ空間２００における放熱量と略同等の熱量を有する過熱水蒸気を生成する。
【００３９】
そのため、第２の水蒸気加熱装置１１０に供給された水蒸気は１００℃以上に加熱された過熱水蒸気となり、その過熱水蒸気はサウナ空間２００に供給される。その結果として、サウナ空間２００の温度は設定温度に保たれる。これは、第２の水蒸気加熱装置１１０からサウナ空間２００に供給された過熱水蒸気によって与えられた熱量と、サウナ空間２００における放熱量と、が略同等であるためである。
【００４０】
これによれば、第２の水蒸気加熱装置１１０に供給される水蒸気量が減少しても、この第２の水蒸気加熱装置１１０はサウナ空間２００における放熱量と略同等の熱量を有する過熱水蒸気しか生成しないため、過加熱状態となるおそれは少ない。そのため、第１および第２の水蒸気加熱装置１０８、１１０が空焚きを起こしたり、その内部に「温度むら」を生ずるおそれは少ない。この結果として、本具体例のサウナ装置は、過熱水蒸気をサウナ空間２００に安定して供給することができる。また、余分な熱量を削減して省エネルギー化することができるため、サウナ装置を長寿命化できる。
【００４１】
なお、本具体例では、第２の水蒸気加熱装置１１０はサウナ空間２００における放熱量と略同等の熱量を有する過熱水蒸気を生成する運転を行うが、これだけに限定されない。例えば、第２の水蒸気加熱装置は、サウナ空間２００における放熱量と略同等の熱量を有する過熱水蒸気を生成する加熱容量を有する装置であり、サウナ空間２００の温度が設定温度になったとき、あるいは設定温度に近づいたときには、その加熱容量に基づいた運転を行ってもよい。
【００４２】
図５は、比較例にかかる過熱水蒸気生成部を例示する模式図である。  
また、図６は、他の比較例にかかる過熱水蒸気生成部を例示する模式図である。  
図５に表した過熱水蒸気生成部は、図１〜図４に表したサウナ装置の過熱水蒸気生成部１００に対して、第２の水蒸気加熱装置１１０を有しておらず、第１の水蒸気加熱装置１０８のみを有している。さらに、水蒸気生成装置１０４から供給された水蒸気が水平方向に通過するように、第１の水蒸気加熱装置１０８が設置されている。図５に表した比較例における第１の水蒸気加熱装置１０８は、サウナ空間２００における放熱量よりも大きい熱量を有する過熱水蒸気を生成する。
【００４３】
そのため、サウナ空間２００の温度が設定温度になったとき、あるいは設定温度に近づいたときに、水蒸気生成装置１０４から第１の水蒸気加熱装置１０８に供給される水蒸気量が減少すると、その水蒸気は、図５に表したように、第１の水蒸気加熱装置１０８の上方部のみを通過するおそれがある。これは、第１の水蒸気加熱装置１０８が生成する過熱水蒸気の熱量がサウナ空間２００における放熱量よりも大きく、水蒸気加熱装置１０８に供給される水蒸気量が極めて少ないためである。
【００４４】
第１の水蒸気加熱装置１０８に供給された水蒸気が上方部のみを通過すると、制御部１１２が第１の水蒸気加熱装置１０８の動作を制御していたとしても、第１の水蒸気加熱装置１０８は過加熱状態となるおそれがある。そのため、第１の水蒸気加熱装置１０８の下方部１３４において「空焚き」が生ずるおそれがある。第１の水蒸気加熱装置１０８が「空焚き」を起こすと、過熱水蒸気をサウナ空間２００に安定して供給することができないおそれがある。
【００４５】
一方、図６に表した過熱水蒸気生成部は、図５に表した過熱水蒸気生成部と同様に、第２の水蒸気加熱装置１１０を有しておらず、第１の水蒸気加熱装置１０８のみを有している。さらに、水蒸気生成装置１０４から供給された水蒸気が鉛直方向に通過するように、第１の水蒸気加熱装置１０８が設置されている。図６に表した比較例における第１の水蒸気加熱装置１０８は、図５に表した比較例と同様に、サウナ空間２００における放熱量よりも大きい熱量を有する過熱水蒸気を生成する。
【００４６】
そのため、サウナ空間２００の温度が設定温度になったとき、あるいは設定温度に近づいたときに、水蒸気生成装置１０４から第１の水蒸気加熱装置１０８に供給される水蒸気量が減少すると、制御部１１２が第１の水蒸気加熱装置１０８の動作を制御していたとしても、第１の水蒸気加熱装置１０８は過加熱状態となるおそれがある。これは、第１の水蒸気加熱装置１０８が生成する過熱水蒸気の熱量がサウナ空間２００における放熱量よりも大きく、水蒸気加熱装置１０８に供給される水蒸気量が極めて少ないため、第１の水蒸気加熱装置１０８に滞留する過熱水蒸気量が増加するためである。
【００４７】
第１の水蒸気加熱装置１０８が過加熱状態になると、第１の水蒸気加熱装置１０８の内部において「温度むら」が生ずるおそれがある。第１の水蒸気加熱装置１０８が「温度むら」を起こすと、過熱水蒸気をサウナ空間２００に安定して供給することができないおそれがある。
【００４８】
これに対して、本実施形態にかかるサウナ装置の過熱水蒸気生成部１００は、サウナ空間２００における放熱量と略同等の熱量を有する過熱水蒸気を生成する第２の水蒸気加熱装置１１０を有するため、第１および第２の水蒸気加熱装置１０８、１１０が過加熱状態となるおそれを抑制できる。そのため、本実施形態にかかるサウナ装置は、図４に関して前述した効果を得ることができる。
【００４９】
次に、本実施形態にかかるサウナ装置の動作の具体例について、図面を参照しつつ説明する。  
図７は、本実施形態にかかるサウナ装置の動作の具体例を例示するフローチャート図である。  
まず、サウナ装置が運転を開始すると（ステップＳ１００）、空間温度検知部１２４はサウナ空間２００の空間温度を測定する（ステップＳ１０２）。ここで、サウナ空間２００の設定温度と測定温度との差は５℃よりも大きいと制御部１１２が判断した場合には（ステップＳ１０２：５℃＜設定温度−測定温度）、制御部１１２は、第２の水蒸気加熱装置１１０の運転を停止する（ステップＳ１０４）。サウナ空間２００の設定温度と測定温度との差が５℃よりも大きい場合とは、例えば、図２および図３に関して前述した「サウナ装置の運転開始時」が挙げられる。
【００５０】
続いて、制御部１１２は、水蒸気生成装置１０４で生成された水蒸気が第１の水蒸気加熱装置１０８に供給されるように、切替弁１０６を切り替える（ステップＳ１０６）。続いて、制御部１１２は、サウナ空間２００の設定温度と測定温度との差に基づいて、水蒸気生成装置１０４の出力を変更する（ステップＳ１０８）。すなわち、制御部１１２は、水蒸気生成装置１０４の出力を制御することによって、水蒸気生成装置１０４が生成する水蒸気量を制御する。
【００５１】
続いて、制御部１１２は、第１の水蒸気加熱装置１０８の運転を開始する（ステップＳ１１０）。これにより、第１の水蒸気加熱装置１０８は、水蒸気生成装置１０４から供給された水蒸気を１００℃以上に加熱して過熱水蒸気を生成する。なお、本具体例の第１の水蒸気加熱装置１０８は、図３に関して前述したように、第２の水蒸気加熱装置１１０が生成する過熱水蒸気の熱量よりも大きい熱量を有する過熱水蒸気を生成する。すなわち、本具体例の第１の水蒸気加熱装置１０８は、サウナ空間２００における放熱量よりも大きい熱量を有する過熱水蒸気を生成する。
【００５２】
そして、水蒸気温度検知部１２２は、第１の水蒸気加熱装置１０８からサウナ空間２００に供給される過熱水蒸気の温度を測定する（ステップＳ１１２）。この過熱水蒸気の温度に基づいて、制御部１１２は、第１の水蒸気加熱装置１０８の出力を変更する（ステップＳ１１４）。すなわち、制御部１１２は、サウナ空間２００に供給される過熱水蒸気の温度が略一定となるように、第１の水蒸気加熱装置１０８の出力を制御する。なお、ステップＳ１１４においては、過熱水蒸気の温度に基づいて制御を行っているが、これだけに限定されず、水蒸気生成装置１０４の出力に応じて制御を行ってもよい。
【００５３】
一方、ステップＳ１０２において、サウナ空間２００の設定温度と測定温度との差は５℃以下であると制御部１１２が判断した場合には（ステップＳ１０２：設定温度−測定温度≦５℃）、制御部１１２は、第１の水蒸気加熱装置１０８の運転を停止する（ステップＳ１１６）。サウナ空間２００の設定温度と測定温度との差が５℃以下の場合とは、例えば、図４に関して前述した「サウナ空間２００の温度が設定温度になったとき、あるいは設定温度に近づいたとき」が挙げられる。
【００５４】
続いて、制御部１１２は、水蒸気生成装置１０４で生成された水蒸気が第２の水蒸気加熱装置１１０に供給されるように、切替弁１０６を切り替える（ステップＳ１１８）。続いて、制御部１１２は、サウナ空間２００の設定温度と測定温度との差に基づいて、水蒸気生成装置１０４の出力を変更する（ステップＳ１２０）。
【００５５】
続いて、制御部１１２は、第２の水蒸気加熱装置１１０の運転を開始する（ステップＳ１２２）。これにより、第２の水蒸気加熱装置１１０は、サウナ空間２００における放熱量と略同等の熱量を有する過熱水蒸気を生成する。そして、水蒸気温度検知部１２２は、第２の水蒸気加熱装置１１０からサウナ空間２００に供給される過熱水蒸気の温度を測定する（ステップＳ１２４）。この過熱水蒸気の温度に基づいて、制御部１１２は、第２の水蒸気加熱装置１１０の出力を変更する（ステップＳ１２６）。なお、ステップＳ１２６においては、過熱水蒸気の温度に基づいて制御を行っているが、これだけに限定されず、水蒸気生成装置１０４の出力に応じて制御を行ってもよい。
【００５６】
続いて、制御部１１２は、サウナ装置の運転を停止する指示が使用者からあったか否かを判断する（ステップＳ１２８）。サウナ装置の運転を停止する指示が使用者から無かった場合には（ステップＳ１２８：無）、再び空間温度検知部１２４はサウナ空間２００の空間温度を測定し（ステップＳ１０２）、以下前述した動作を繰り返し行う。一方、サウナ装置の運転を停止する指示が使用者から有った場合には（ステップＳ１２８：有）、制御部１１２は、サウナ装置の運転を停止する（ステップＳ１３０）。
【００５７】
本具体例のサウナ装置によれば、サウナ空間２００の設定温度と測定温度との差に基づいて、制御部１１２は切替弁１０６を切り替え、第１の水蒸気加熱装置１０８と第２の水蒸気加熱装置１１０とを使い分けるため、第１および第２の水蒸気加熱装置１０８、１１０が過加熱状態となるおそれを抑制できる。あるいは、第１および第２の水蒸気加熱装置１０８、１１０が空焚きを起こしたり、装置の内部において温度むらが生ずることを抑制できる。そのため、本具体例のサウナ装置は、過熱水蒸気をサウナ空間２００に安定して供給することができる。また、余分な熱量を削減して省エネルギー化することができるため、サウナ装置を長寿命化できる。
【００５８】
なお、本具体例においては、ステップＳ１０２における判断基準として「５℃」を使用したが、これだけに限定されず、判断基準は例えば「１０℃」や「７℃」などであってもよい。
【００５９】
図８は、本実施形態にかかるサウナ装置の動作の他の具体例を例示するフローチャート図である。  
まず、サウナ装置が運転を開始すると（ステップＳ２００）、空間温度検知部１２４はサウナ空間２００の空間温度を測定する（ステップＳ２０２）。ここで、サウナ空間２００の設定温度と測定温度との差は１０℃よりも大きいと制御部１１２が判断した場合には（ステップＳ２０２：１０℃＜設定温度−測定温度）、制御部１１２は、水蒸気生成装置１０４で生成された水蒸気が第１および第２の水蒸気加熱装置１０８、１１０に供給されるように、切替弁１０６を切り替える（ステップＳ２０４）。サウナ空間２００の設定温度と測定温度との差が１０℃よりも大きい場合とは、例えば、図２および図３に関して前述した「サウナ装置の運転開始時」が挙げられる。
【００６０】
続いて、制御部１１２は、サウナ空間２００の設定温度と測定温度との差に基づいて、水蒸気生成装置１０４の出力を変更する（ステップＳ２０６）。すなわち、制御部１１２は、水蒸気生成装置１０４の出力を制御することによって、水蒸気生成装置１０４が生成する水蒸気量を制御する。
【００６１】
続いて、制御部１１２は、第１および第２の水蒸気加熱装置１０８、１１０の運転を開始する（ステップＳ２０８）。これにより、第１および第２の水蒸気加熱装置１０８、１１０は、水蒸気生成装置１０４から供給された水蒸気を１００℃以上に加熱して過熱水蒸気を生成する。そして、水蒸気温度検知部１２２は、第１および第２の水蒸気加熱装置１０８、１１０からサウナ空間２００に供給される過熱水蒸気の温度を測定する（ステップＳ２１０）。この過熱水蒸気の温度に基づいて、制御部１１２は、第１および第２の水蒸気加熱装置１０８、１１０の出力を変更する（ステップＳ２１２）。すなわち、制御部１１２は、サウナ空間２００に供給される過熱水蒸気の温度が略一定となるように、第１および第２の水蒸気加熱装置１０８、１１０の出力を制御する。なお、ステップＳ２１２においては、過熱水蒸気の温度に基づいて制御を行っているが、これだけに限定されず、水蒸気生成装置１０４の出力に応じて制御を行ってもよい。
【００６２】
一方、ステップＳ２０２において、サウナ空間２００の設定温度と測定温度との差は５℃よりも大きく１０℃以下であると制御部１１２が判断した場合には（ステップＳ２０２：５℃＜設定温度−測定温度≦１０℃）、図７に表したステップＳ１０４、Ｓ１０６、Ｓ１０８、Ｓ１１０、Ｓ１１２、Ｓ１１４と同様の動作を行い、制御部１１２は第１の水蒸気加熱装置１０８のみの運転を開始して、サウナ空間２００の温度を上げる（ステップＳ２１４、Ｓ２１６、Ｓ２１８、Ｓ２２０、Ｓ２２２、Ｓ２２４）。
【００６３】
なお、サウナ空間２００の設定温度と測定温度との差は５℃よりも大きく１０℃以下の場合とは、例えば、図４に関して前述した「設定温度に近づいたとき」が挙げられる。また、本具体例の第１の水蒸気加熱装置１０８は、図３に関して前述したように、第２の水蒸気加熱装置１１０が生成する過熱水蒸気の熱量よりも大きい熱量を有する過熱水蒸気を生成する。すなわち、本具体例の第１の水蒸気加熱装置１０８は、サウナ空間２００における放熱量よりも大きい熱量を有する過熱水蒸気を生成する。
【００６４】
さらに一方、ステップＳ２０２において、サウナ空間２００の設定温度と測定温度との差は５℃以下であると制御部１１２が判断した場合には（ステップＳ２０２：設定温度−測定温度≦５℃）、図７に表したステップＳ１１６、Ｓ１１８、Ｓ１２０、Ｓ１２２、Ｓ１２４、Ｓ１２６と同様の動作を行い、制御部１１２は第２の水蒸気加熱装置１１０のみの運転を開始し、第２の水蒸気加熱装置１１０はサウナ空間２００における放熱量と略同等の熱量を有する過熱水蒸気を生成する（ステップＳ２２６、Ｓ２２８、Ｓ２３０、Ｓ２３２、Ｓ２３４、Ｓ２３６）。なお、サウナ空間２００の設定温度と測定温度との差が５℃以下の場合とは、例えば、図４に関して前述した「サウナ空間２００の温度が設定温度になったとき」が挙げられる。
【００６５】
続いて、制御部１１２は、図７に表したステップＳ１２８と同様に、サウナ装置の運転を停止する指示が使用者からあったか否かを判断する（ステップＳ２３８）。この判断結果に基づいて、再び空間温度検知部１２４はサウナ空間２００の空間温度を測定したり（ステップＳ２３８：無）、制御部１１２はサウナ装置の運転を停止する（ステップＳ２３８：有）。
【００６６】
本具体例のサウナ装置によれば、サウナ空間２００の設定温度と測定温度との差が大きい場合には、第１および第２の水蒸気加熱装置１０８、１１０の運転を開始するため、サウナ空間２００の温度を一気に上げることができる。一方、サウナ空間２００の設定温度と測定温度との差が小さい場合には、その温度差に基づいて第１の水蒸気加熱装置１０８と第２の水蒸気加熱装置１１０とを使い分け、サウナ空間２００の温度を設定温度に近づけたり、設定温度と略同等に保つことができる。
【００６７】
そして、サウナ空間２００の温度が設定温度と略同等の場合には（例えば、設定温度−測定温度≦５℃）、サウナ空間２００における放熱量と略同等の熱量を有する過熱水蒸気を生成する第２の水蒸気加熱装置１１０の運転を開始するため、第１および第２の水蒸気加熱装置１０８、１１０が過加熱状態となるおそれを抑制できる。あるいは、第１および第２の水蒸気加熱装置１０８、１１０が空焚きを起こしたり、装置の内部において温度むらが生ずることを抑制できる。そのため、本具体例のサウナ装置は、過熱水蒸気をサウナ空間２００に安定して供給することができる。また、余分な熱量を削減して省エネルギー化することができるため、サウナ装置を長寿命化できる。
【００６８】
なお、本具体例においては、ステップＳ２０２における判断基準として「５℃」および「１０℃」を使用したが、これだけに限定されず、判断基準は例えば「３℃」、「７℃」、あるいは「１２℃」などであってもよい。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、過熱水蒸気生成部１００などが備える各要素の形状、寸法、材質、配置などや水蒸気温度検知部１２２および空間温度検知部１２４の設置形態などは、例示したものに限定されるわけではなく適宜変更することができる。
【００７０】
また例えば、図８においては、サウナ空間２００の設定温度と測定温度との差に基づいて、第１および第２の水蒸気加熱装置１０８、１１０の運転を行う動作と（ステップＳ２０４、Ｓ２０６、Ｓ２０８、Ｓ２１０、Ｓ２１２）、第２の水蒸気加熱装置１１０のみの運転を行う動作と（ステップＳ２２６、Ｓ２２８、Ｓ２３０、Ｓ２３２、Ｓ２３４、Ｓ２３６）、の２つの動作を行ってもよい。すなわち、第１の水蒸気加熱装置１０８のみの運転を行う動作（ステップＳ２１４、Ｓ２１６、Ｓ２１８、Ｓ２２０、Ｓ２２２、Ｓ２２４）を省略してもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００７１】
【図１】本発明の実施の形態にかかるサウナ装置を例示する模式図である。
【図２】サウナ装置の運転開始時における過熱水蒸気生成部の動作の具体例を説明するための模式図である。
【図３】サウナ装置の運転開始時における過熱水蒸気生成部の動作の他の具体例を説明するための模式図である。
【図４】サウナ空間の温度が設定温度になったときにおける過熱水蒸気生成部の動作の具体例を説明するための模式図である。
【図５】比較例にかかる過熱水蒸気生成部を例示する模式図である。
【図６】他の比較例にかかる過熱水蒸気生成部を例示する模式図である。
【図７】本実施形態にかかるサウナ装置の動作の具体例を例示するフローチャート図である。
【図８】本実施形態にかかるサウナ装置の動作の他の具体例を例示するフローチャート図である。
【符号の説明】
【００７２】
１００ 過熱水蒸気生成部、  １０２ 給水弁、  １０４ 水蒸気生成装置、  １０６ 切替弁、  １０８ 第１の水蒸気加熱装置、  １１０ 第２の水蒸気加熱装置、  １１２ 制御部、  １２２ 水蒸気温度検知部、  １２４ 空間温度検知部、  １３０ａ、１３０ｂ、１３０ｃ、１３０ｄ、１３０ｅ 流路、  １３４ 下方部、  ２００ サウナ空間、  ２０２ 浴槽、  ２０４ 水栓装置、  ３００ 吹出部
【図１】
2010035708.tif 000003
【図２】
2010035708.tif 000004
【図３】
2010035708.tif 000005
【図４】
2010035708.tif 000006
【図５】
2010035708.tif 000007
【図６】
2010035708.tif 000008
【図７】
2010035708.tif 000009
【図８】
2010035708.tif 000010